(57)【特許請求の範囲】
【請求項１】
コネクタハウジングの端子収容室に端子金具を挿入するための端子挿入治具において、
前記コネクタハウジングは、端子収容室を一方向に沿って並べて構成される端子収容室列を複数備え、これらの端子収容室列は前記一方向に交差する他の方向に沿って重ねられているとともに、
前記コネクタハウジングを固定する治具本体と、
前記コネクタハウジングの端子収容室列それぞれに対応しかつ対応する端子収容室列を塞ぐ第１の位置と前記端子収容室列を開放する第２の位置とに亘って移動自在に設けられた複数の挿入誘導部材と、
前記挿入誘導部材を貫通しているとともに、前記第１の位置で、対応する端子収容室列のうち端子金具を収容する端子収容室を開放して、前記端子収容室内に端子金具が侵入することを許容する誘導手段と、
を備え、
前記挿入誘導部材は、それぞれ板状に形成され、かつ前記第１の位置で互いに重なるとともに、
前記誘導手段は、前記挿入誘導部材の一つの縁部に設けられており、
第１の位置で重なる複数の挿入誘導部材の下方のものから上方のものに向かって順に、前記一つの縁部から離れた側の他の縁部の前記端子収容室に端子金具を挿入する方向の前記コネクタハウジングからの距離が長くなっていることを特徴とする端子挿入治具。
【請求項２】
複数の挿入誘導部材は、前記治具本体に着脱自在な構成となっていることを特徴とする請求項１記載の端子挿入治具。
【請求項３】
複数の挿入誘導部材は、それぞれ、前記他の縁部を中心として回転自在に支持されているとともに、前記他の縁部を中心として回転することで第１の位置と第２の位置とに亘って移動自在であることを特徴とする請求項１または請求項２記載の端子挿入治具。
【請求項４】
複数の挿入誘導部材は、それぞれ、前記一方向に沿ってスライド自在に支持されているとともに、前記一方向に沿ってスライドすることで第１の位置と第２の位置とに亘って移動自在であることを特徴とする請求項１または請求項２記載の端子挿入治具。
【請求項５】
コネクタハウジングの端子収容室に端子金具を挿入するための端子挿入治具において、
前記コネクタハウジングは、端子収容室を一方向に沿って並べて構成される端子収容室列を複数備え、これらの端子収容室列は前記一方向に交差する他の方向に沿って重ねられているとともに、
前記コネクタハウジングを固定する治具本体と、
前記コネクタハウジングの端子収容室列それぞれに対応しかつ対応する端子収容室列を塞ぐ第１の位置と前記端子収容室列を開放する第２の位置とに亘って移動自在に設けられた複数の挿入誘導部材と、
前記挿入誘導部材を貫通しているとともに、前記第１の位置で、対応する端子収容室列のうち端子金具を収容する端子収容室を開放して、前記端子収容室内に端子金具が侵入することを許容する誘導手段と、
を備え、
複数の挿入誘導部材は、前記一方向に沿って並べられており、これらの挿入誘導部材は一体に形成されかつ前記一方向に沿ってスライド自在に支持されているとともに、前記一方向に沿ってスライドすることで第１の位置と第２の位置とに亘って移動自在であることを特徴とする端子挿入治具。
【請求項６】
複数の挿入誘導部材は、前記治具本体に着脱自在な構成となっていることを特徴とする請求項５記載の端子挿入治具。
【請求項７】
複数の挿入誘導部材は、それぞれ、前記端子収容室に端子金具を挿入する方向に沿ってスライド自在に支持されているとともに、前記端子収容室に端子金具を挿入する方向に沿ってスライドすることで第１の位置と第２の位置とに亘って移動自在であることを特徴とする請求項１または請求項２記載の端子挿入治具。
【請求項８】
複数の挿入誘導部材は、それぞれ、前記他の方向に沿ってスライド自在に支持されているとともに、前記他の方向に沿ってスライドすることで第１の位置と第２の位置とに亘って移動自在であることを特徴とする請求項１または請求項２記載の端子挿入治具。
【請求項９】
前記挿入誘導部材の表面に前記誘導手段それぞれに対応して設けられているとともに端子収容室が収容する端子金具を示す印を備えたことを特徴とする請求項１ないし請求項８のうちいずれか一項に記載の端子挿入治具。
【請求項１０】
前記第１の位置で挿入誘導部材を位置決めする位置決め手段を備えたことを特徴とする請求項１ないし請求項９のうちいずれか一項に記載の端子挿入治具。
【請求項１１】
誘導手段は、前記一つの縁部に設けられた複数の切欠き間に位置する前記挿入誘導部材を構成する母材が除去されて、前記挿入誘導部材の一つの縁部を切り欠いており、
互いに隣り合う切欠き間の間隔は前記端子収容室の幅と略等しく、切欠きの幅は前記端子収容室を互いに区画する壁の厚みと略等しいことを特徴とする請求項１ないし請求項１０のうちいずれか一項に記載の端子挿入治具。
【発明の詳細な説明】
【０００１】
【発明の属する技術分野】
本発明は、たとえば、コネクタハウジングの端子収容室に端子金具を挿入する際に用いられる端子挿入治具に関する。
【０００２】
【従来の技術】
移動体としての自動車などには、種々の電子機器が搭載される。このため、前記自動車などは、前記電子機器に電源などからの電力やコンピュータなどからの制御信号などを伝えるために、ワイヤハーネスを配索している。ワイヤハーネスは、複数の電線と、該電線の端部などに取り付けられたコネクタなどを備えている。
【０００３】
電線は、導電性の芯線と、該芯線を被覆する絶縁性の合成樹脂からなる被覆部とを備えている。電線は、所謂被覆電線である。コネクタは、導電性の端子金具と絶縁性のコネクタハウジングとを備えている。端子金具は、電線の端部などに取りつけられかつ該電線の芯線と電気的に接続する。コネクタハウジングは、箱状に形成されかつ端子金具を収容する端子収容室を複数備えている。
【０００４】
前記ワイヤハーネスを組み立てる際には、まず電線を所定の長さに切断した後、該電線の端部などに端子金具を取り付ける。必要に応じて電線同士を接続する。その後、端子金具をコネクタハウジングの所望の端子収容室内に挿入する。こうして、前述したワイヤハーネスを組み立てる。
【０００５】
前述した電線は、ワイヤハーネスが電子機器に所望の信号を伝送できるようにするために、芯線の大きさと、被覆部の材質（耐熱性の有無などによる材質の変更）と、使用目的などを識別する必要がある。なお、使用目的とは、例えば、エアバック、ＡＢＳ（Antilock Brake System）や車速情報などの制御信号や、動力伝達系統などの電線が用いられる自動車の系統（システム）である。
【０００６】
ワイヤハーネスの電線は、前述した使用目的（系統）を識別するために、被覆部を構成する合成樹脂に種々の着色剤が混入されて種々の色に着色されたり、種々のマーキングが施されてきた。そこで、電線は、被覆部の外表面が互いに異なる二色でストライプ模様に形成されることもある。
【０００７】
一方、自動車には、ユーザなどから多種多様な要望がよせられている。このため、前記自動車は、より多種多様な電子機器を搭載することが望まれている。したがって、前記ワイヤハーネスを構成する電線は、増加する傾向である。電線が増加するため、ワイヤハーネスの重量が増加することが考えられる。この重量の増加を抑制するために、特に制御信号を伝送する電線をより細くすることが提案されている。電線を細くすると、端子金具の小型化を図ることができる。
【０００８】
【発明が解決しようとする課題】
前述したワイヤハーネスを組み立てる際に、端子収容室に誤った端子金具を挿入した際には、端子金具を抜き取って、再度正規の端子収容室に挿入してきた。電線が細くなって、端子金具の小型化が図られると、端子金具を端子収容室から抜き取ると、端子金具が破損する虞があった。端子金具が破損すると、勿論、再度端子収容室に挿入できなくなる。このため、端子金具を交換する必要が生じる。
【０００９】
したがって、本発明の目的は、コネクタハウジングの端子収容室に誤った端子金具を挿入することを抑制できる端子挿入治具を提供することにある。
【００１０】
【課題を解決するための手段】
前記課題を解決し目的を達成するために、請求項１に記載の本発明の端子挿入治具は、コネクタハウジングの端子収容室に端子金具を挿入するための端子挿入治具において、前記コネクタハウジングは、端子収容室を一方向に沿って並べて構成される端子収容室列を複数備え、これらの端子収容室列は前記一方向に交差する他の方向に沿って重ねられているとともに、前記コネクタハウジングを固定する治具本体と、前記コネクタハウジングの端子収容室列それぞれに対応しかつ対応する端子収容室列を塞ぐ第１の位置と前記端子収容室列を開放する第２の位置とに亘って移動自在に設けられた複数の挿入誘導部材と、前記挿入誘導部材を貫通しているとともに、前記第１の位置で、対応する端子収容室列のうち端子金具を収容する端子収容室を開放して、前記端子収容室内に端子金具が侵入することを許容する誘導手段と、を備え、前記挿入誘導部材は、それぞれ板状に形成され、かつ前記第１の位置で互いに重なるとともに、前記誘導手段は、前記挿入誘導部材の一つの縁部に設けられており、第１の位置で重なる複数の挿入誘導部材の下方のものから上方のものに向かって順に、前記一つの縁部から離れた側の他の縁部の前記端子収容室に端子金具を挿入する方向の前記コネクタハウジングからの距離が長くなっていることを特徴としている。
【００１１】
請求項２に記載の本発明の端子挿入治具は、請求項１記載の端子挿入治具において、複数の挿入誘導部材は、前記治具本体に着脱自在な構成となっていることを特徴としている。
【００１２】
請求項３に記載の本発明の端子挿入治具は、請求項１または請求項２記載の端子挿入治具において、複数の挿入誘導部材は、それぞれ、前記他の縁部を中心として回転自在に支持されているとともに、前記他の縁部を中心として回転することで第１の位置と第２の位置とに亘って移動自在であることを特徴としている。
【００１３】
請求項４に記載の本発明の端子挿入治具は、請求項１または請求項２記載の端子挿入治具において、複数の挿入誘導部材は、それぞれ、前記一方向に沿ってスライド自在に支持されているとともに、前記一方向に沿ってスライドすることで第１の位置と第２の位置とに亘って移動自在であることを特徴としている。
【００１４】
請求項５に記載の本発明の端子挿入治具は、コネクタハウジングの端子収容室に端子金具を挿入するための端子挿入治具において、前記コネクタハウジングは、端子収容室を一方向に沿って並べて構成される端子収容室列を複数備え、これらの端子収容室列は前記一方向に交差する他の方向に沿って重ねられているとともに、前記コネクタハウジングを固定する治具本体と、前記コネクタハウジングの端子収容室列それぞれに対応しかつ対応する端子収容室列を塞ぐ第１の位置と前記端子収容室列を開放する第２の位置とに亘って移動自在に設けられた複数の挿入誘導部材と、前記挿入誘導部材を貫通しているとともに、前記第１の位置で、対応する端子収容室列のうち端子金具を収容する端子収容室を開放して、前記端子収容室内に端子金具が侵入することを許容する誘導手段と、を備え、複数の挿入誘導部材は、前記一方向に沿って並べられており、これらの挿入誘導部材は一体に形成されかつ前記一方向に沿ってスライド自在に支持されているとともに、前記一方向に沿ってスライドすることで第１の位置と第２の位置とに亘って移動自在であることを特徴としている。
【００１５】
請求項６に記載の本発明の端子挿入治具は、請求項５記載の端子挿入治具において、複数の挿入誘導部材は、前記治具本体に着脱自在な構成となっていることを特徴としている。
【００１６】
請求項７に記載の本発明の端子挿入治具は、請求項１または請求項２記載の端子挿入治具において、複数の挿入誘導部材は、それぞれ、前記端子収容室に端子金具を挿入する方向に沿ってスライド自在に支持されているとともに、前記端子収容室に端子金具を挿入する方向に沿ってスライドすることで第１の位置と第２の位置とに亘って移動自在であることを特徴としている。
【００１７】
請求項８に記載の本発明の端子挿入治具は、請求項１または請求項２記載の端子挿入治具において、複数の挿入誘導部材は、それぞれ、前記他の方向に沿ってスライド自在に支持されているとともに、前記他の方向に沿ってスライドすることで第１の位置と第２の位置とに亘って移動自在であることを特徴としている。
【００１８】
請求項９に記載の本発明の端子挿入治具は、請求項１ないし請求項８のうちいずれか一項に記載の端子挿入治具において、前記挿入誘導部材の表面に前記誘導手段それぞれに対応して設けられているとともに端子収容室が収容する端子金具を示す印を備えたことを特徴としている。
【００１９】
請求項１０に記載の本発明の端子挿入治具は、請求項１ないし請求項９のうちいずれか一項に記載の端子挿入治具において、前記第１の位置で挿入誘導部材を位置決めする位置決め手段を備えたことを特徴としている。
【００２０】
請求項１１に記載の本発明の端子挿入治具は、請求項１ないし請求項１０のうちいずれか一項に記載の端子挿入治具において、誘導手段は、前記一つの縁部に設けられた複数の切欠き間に位置する前記挿入誘導部材を構成する母材が除去されて、前記挿入誘導部材の一つの縁部を切り欠いており、互いに隣り合う切欠き間の間隔は前記端子収容室の幅と略等しく、切欠きの幅は前記端子収容室を互いに区画する壁の厚みと略等しいことを特徴としている。
【００２１】
請求項１に記載した本発明の端子挿入治具によれば、挿入誘導部材がコネクタハウジングの端子収容室列それぞれに対応している。それぞれの挿入誘導部材は、対応する端子収容室列の端子収容室を塞ぐ第１の位置と、端子収容室を開放する第２の位置とに亘って移動自在である。挿入誘導部材は、第１の位置で端子金具を収容する端子収容室を開放する誘導手段を備えている。
【００２２】
このため、挿入誘導部材を第１の位置に位置づけて、誘導手段により端子金具を収容する端子収容室に確実に端子金具を挿入できる。また、第１の位置では、挿入誘導部材は、端子収容室を塞ぐ。このため、端子金具を挿入しない端子収容室に端子金具を挿入することを防止できる。
【００２３】
挿入誘導部材は、第１の位置で下方のものから上方のものに向かって順に、他の縁部のコネクタハウジングからの距離が徐々に長くなっている。このため、第１の位置で互いに重なる複数の挿入誘導部材は、互いに並行になる。このため、特に、上方に位置する挿入誘導部材の誘導手段は、確実に端子金具を収容する端子収容室を開放するとともに端子金具を収容しない端子収容室を塞ぐことができる。
【００２４】
請求項２に記載した本発明の端子挿入治具によれば、挿入誘導部材が治具本体に着脱自在となっている。このため、誘導手段のパターンを変更した挿入誘導部材を複数用意して、これらの挿入誘導部材から任意の誘導挿入部材を選択して、治具本体に取り付けることができる。そして、治具本体に取り付けた挿入誘導部材を用いて、端子収容室に端子金具を挿入できる。
【００２５】
請求項３に記載した本発明の端子挿入治具によれば、複数の挿入誘導部材は他の縁部を中心として回転自在に設けられている。このため、挿入誘導部材を第１の位置と第２の位置とに亘って確実に移動自在にできる。
【００２６】
請求項４に記載した本発明の端子挿入治具によれば、複数の挿入誘導部材は一方向に沿ってスライド自在に設けられている。このため、挿入誘導部材を第１の位置と第２の位置とに亘って確実に移動自在にできる。
【００２７】
請求項５及び請求項６に記載した本発明の端子挿入治具によれば、複数の挿入誘導部材は一体に形成されかつ一方向に沿ってスライド自在に設けられている。このため、挿入誘導部材を第１の位置と第２の位置とに亘って確実に移動自在にできる。
【００２８】
請求項７に記載した本発明の端子挿入治具によれば、複数の挿入誘導部材は端子収容室に端子金具を挿入する方向に沿ってスライド自在に設けられている。このため、挿入誘導部材を第１の位置と第２の位置とに亘って確実に移動自在にできる。
【００２９】
請求項８に記載した本発明の端子挿入治具によれば、複数の挿入誘導部材は他の方向に沿ってスライド自在に設けられている。このため、挿入誘導部材を第１の位置と第２の位置とに亘って確実に移動自在にできる。
【００３０】
請求項９に記載した本発明の端子挿入治具によれば、挿入誘導部材の表面に、端子収容室に挿入する端子金具を示す印が形成されている。このため、端子収容室に誤った端子金具を挿入することを防止できる。
【００３１】
請求項１０に記載した本発明の端子挿入治具によれば、位置決め手段が第１の位置で挿入誘導部材を位置決めする。このため、挿入誘導部材は、第１の位置で確実に端子金具を収容する端子収容室を開放するとともに端子金具を収容しない端子収容室を塞ぐことができる。
【００３２】
請求項１１に記載した本発明の端子挿入治具によれば、誘導手段を形成する切欠き間の間隔は端子収容室の幅と略等しく、切欠きの幅は端子収容室を区画する壁の厚みと略等しい。このため、一つの誘導手段は、端子金具を収容すべき端子収容室をひとつのみ開放する。なお、本明細書に記した切欠き間の間隔と端子収容室の幅とが略等しいとは、切欠き間の間隔と端子収容室の幅とが等しい事と、切欠き間の間隔と端子収容室の幅とが若干異なっている事と、を示している。切欠き間の間隔と端子収容室の幅とが若干異なっていても、所望の端子収容室に所望の端子金具を挿入できる。また、本明細書に記した切欠きの幅と端子収容室を区画する壁の厚みが略等しいとは、切欠きの幅と端子収容室を区画する壁の厚みが等しい事と、切欠きの幅と端子収容室を区画する壁の厚みとが若干異なっている事と、を示している。切欠きの幅と端子収容室を区画する壁の厚みとが若干異なっていても、所望の端子収容室に所望の端子金具を挿入できる。
【００３３】
【発明の実施の形態】
以下、本発明の第１の実施形態にかかる端子挿入治具を図１ないし図２５を参照して説明する。図１などに示す本発明の第１の実施形態に係る端子挿入治具１は、自動車などに配索されるワイヤハーネスを組み立てる際に、図７などに示す端子金具２を、図３などに示すコネクタハウジング３の端子収容室４内に挿入する際に用いられる。
【００３４】
端子金具２は、図７に示すように、板金を折り曲げるなどして得られ、電線接続部５と電気接触部６とを一体に備えている。電線接続部５は、複数のかしめ片７を備えている。電線接続部５は、かしめ片７で電線９を加締めることにより、電線９の芯線１０と電気的に接続される。電気接触部６は、電線接続部５に連なっているとともに筒状に形成されている。
【００３５】
電気接触部６の内側には、ばね片８が設けられている。ばね片８は、電気接触部６内に挿入された相手側の端子金具（図示せず）のタブなどを電気接触部６の内面に向かって付勢する。ばね片８は、電気接触部６の内面との間にタブを挟む。電気接触部６は、ばね片８が相手側の端子金具のタブを内面に向かって付勢することにより、前記相手側の端子金具と電気的に接続される。
【００３６】
前記端子金具２に取り付けられる電線９は、導電性の芯線１０と、この芯線１０を被覆する絶縁性の被覆部１１とを備えている。電線９は、所謂被覆電線である。電線９の外表面９ａは、互いに異なる２色Ａ，Ｂ（図７中に平行斜線で示す）に着色されている。電線９の外表面９ａは、前述した２色Ａ，Ｂでストライプ模様に形成されている。これらの２色Ａ，Ｂは、ワイヤハーネスに組み立てられて自動車などに配索される際に、該自動車などの使用目的（系統）などを示している。
【００３７】
コネクタハウジング３は、絶縁性の合成樹脂からなり、箱状に形成されている。コネクタハウジング３は、図５などに示すように、複数の端子収容室４を備えている。これら複数の端子収容室４は、複数の壁１２により互いに区画されており、コネクタハウジング３の外表面３ａに開口している。複数の端子収容室４の長手方向は、互いに平行である。端子収容室４は、端子金具２を収容する。複数の端子収容室４のうち一部（複数）の端子収容室４は、図５中の矢印Ｍに沿って互いに並べられている。なお、この矢印Ｍは、本明細書に記した一方向をなしている。また、前述した矢印Ｍに沿って並べられた複数の端子収容室４は、端子収容室列１３を構成している。
【００３８】
さらに、コネクタハウジング３は、端子収容室列１３を複数備えている。図示例では、端子収容室列１３は三つ設けられている。これらの端子収容室列１３は、前記矢印Ｍに直交（交差）する矢印Ｎに沿って、互いに重ねられている。なお、前記矢印Ｎは、本明細書に記した他の方向をなしている。なお、以下、これら３つの端子収容室列１３のうち図５中の下方から順に、第１の端子収容室列１３ａ、第２の端子収容室列１３ｂ、第３の端子収容室列１３ｃと呼ぶ。
【００３９】
前述した端子金具２と、電線９と、コネクタハウジング３とでワイヤハーネスを組み立てる際には、まず、電線９の端部などから被覆部１１を除去する。この端部をかしめ片７でかしめて、電線９に端子金具２を取り付ける。端子金具２を所望の端子収容室４内に挿入する。その後、電線９に周知のグロメットやチューブなどの外装品を取り付けて、ワイヤハーネスを組み立てる。
【００４０】
端子挿入治具１は、図１ないし図４に示すように、治具本体２０と、誘導部２１とを備えている。治具本体２０は、図１ないし図４に示すように、ベース板２２と、コネクタ保持台２３と、着脱機構２４を備えている。ベース板２２は、平板状に形成されている。コネクタ保持台２３は、柱２５などを介してベース板２２に取り付けられている。コネクタ保持台２３は、直方体または立方体状に形成されている。
【００４１】
コネクタ保持台２３は、凹部２６を備えている、凹部２６は、コネクタ保持台２３の上面２３ａから凹に形成されている。凹部２６は、コネクタハウジング３の外形に沿って形成されている。凹部２６は、コネクタ保持台２３の上面２３ａと外表面３ａとが平行となる状態で、内側にコネクタハウジング３を収容する。図示例では、凹部２６内にコネクタハウジング３を収容すると、前記上面２３ａと外表面３ａとは、同一平面上に位置する（面一になる）。こうして、治具本体２０は、コネクタ保持台２３の凹部２６内にコネクタハウジング３を収容して、該コネクタハウジング３を固定する。
【００４２】
着脱機構２４は、誘導部２１即ち後述する挿入誘導部材４４，４５，４６を治具本体２０に着脱自在にする。着脱機構２４は、図４及び図５に示すように、機構本体２７と、レバー２８と、スライド部材２９とを備えている。機構本体２７は、治具本体２０のベース板２２に取り付けられた第１の取付片３０と、この第１の取付片３０に取り付けられた第２の取付片３１を備えている。
【００４３】
第１の取付片３０は、取付部３２と、立設部３３とを備えている。取付部３２は、板状に形成されかつベース板２２に重ねられた格好で、このベース板２２に固定される。立設部３３は、取付部３２の端部から立設している。立設部３３には、一対の孔３４（図５に示す）が貫通している。孔３４は、水平方向に沿って立設部３３を貫通している。孔３４内に、スライド部材２９の後述する押さえ部４０を通す。第１の取付片３０は、立設部３３がコネクタ保持台２３の近傍に位置した状態で、取付部３２がベース板２２に固定される。
【００４４】
第２の取付片３１は、取付部３５と、立設部３６と、レバー支持片３７を備えている。取付部３５は、板状に形成されかつ第１の取付片３０の取付部３２に重ねられた格好で、第１の取付片３０の取付部３２に固定される。立設部３６は、取付部３２の一端部から立設している。立設部３６には、図示しない孔が貫通している。孔は、水平方向に沿って立設部３６を貫通している。孔内に、スライド部材２９の後述するレバー連結部３９を通す。
【００４５】
レバー支持片３７は、取付部３５の他端部から立設している。第２の取付片３１は、立設部３６が第１の取付片３０の立設部３３と間隔をあけて相対しかつレバー支持片３７よりコネクタ保持台２３寄りに位置した状態で、取付部３５が第１の取付片３０の取付部３２に固定される。
【００４６】
レバー２８は、一端部を中心として第２の取付片３１のレバー支持片３７に回転自在に支持されている。レバー２８には、アーム３８（図４に示す）の一端部が連結している。
【００４７】
スライド部材２９は、図５に示すように、レバー連結部３９と、一対の押さえ部４０と、連結部４１とを備えている。レバー連結部３９は、円柱状または円筒状に形成されている。レバー連結部３９は、第２の取付片３１の立設部３６の孔内に通されて、アーム３８の他端部が連結している。アーム３８は、他端部を中心としてスライド部材２９のレバー連結部３９に回転自在となっている。また、レバー連結部３９は、孔即ち第２の取付片３１の立設部３６に水平方向に沿ってスライド自在に支持されている。
【００４８】
一対の押さえ部４０は、円柱状または円筒状に形成されている。一対の押さえ部４０は、互いに平行であるとともに、レバー連結部３９と平行である。押さえ部４０は、第１の取付片３０の立設部３３の孔３４内に通されている。押さえ部４０は、孔３４即ち第１の取付片３０の立設部３３に水平方向に沿ってスライド自在に支持されている。
【００４９】
また、押さえ部４０は、長手方向の中央部にテーパ面４２を設けている。テーパ面４２は、押さえ部４０の外周部に設けられている。テーパ面４２は、押さえ部４０の全周に亘って形成されているとともに、押さえ部４０と同軸である。テーパ面４２は、第１の取付片３０の立設部３３即ちコネクタ保持台２３に近づくのにしたがって、押さえ部４０の外径を徐々に縮小する方向に傾いている。連結部４１は、板状に形成されている。連結部４１は、一対の押さえ部４０とレバー連結部３９とを連結している。
【００５０】
前述した構成によれば、着脱機構２４は、レバー２８を回転すると、スライド部材２９が水平方向に沿ってスライドする。即ち、着脱機構２４は、レバー２８を回転することで、スライド部材２９をコネクタ保持台２３に近づけたり離す（接離させる）。なお、図４に示すレバー２８が水平方向に沿う状態では、スライド部材２９は、コネクタ保持台２３寄りに位置する。さらに、レバー２８を図４中の矢印Ｏに沿って回転して図２３及び図２４に示す状態になると、スライド部材２９は、コネクタ保持台２３から離れる。
【００５１】
誘導部２１は、図４に示すように、誘導部本体４３と、第１の挿入誘導部材４４と、第２の挿入誘導部材４５と、第３の挿入誘導部材４６と、位置決め手段としての一対の位置決め片４７（図３に示す）を備えている。誘導部本体４３は、板状に形成されている。
【００５２】
誘導部本体４３には、図６に示すように、一対の切欠き４８が形成されている。切欠き４８は、誘導部本体４３の一つの縁からこの縁の反対側に位置する他の縁に向かって、誘導部本体４３を構成する母材を切り欠いている。切欠き４８は、互いに平行である。切欠き４８内には、着脱機構２４の一対の押さえ部４０が侵入可能である。
【００５３】
誘導部本体４３は、切欠き４８内にコネクタ保持台２３から離れた状態の押さえ部４０が通される。そして、誘導部本体４３は、レバー２８が回転されて押さえ部４０がコネクタ保持台２３に近づくと、第１の取付片３０の立設部３３と押さえ部４０のテーパ面４２との間に挟まれる。そして、誘導部本体４３は、ベース板２２に対して立設した状態で、治具本体２０に取り付けられる。
【００５４】
また、切欠き４８の端部には、第２のテーパ面５０が設けられている。第２のテーパ面５０は、切欠き４８内に押さえ部４０が通されると、前述したテーパ面４２に相対する。第２のテーパ面５０は、前記テーパ面４２に合致する。第２のテーパ面５０は、切欠き４８の端部の全周に形成されている。第２のテーパ面５０は、レバー２８から離れるのにしたがって前記切欠き４８の開口を徐々に縮小する方向に傾斜している。このため、誘導部本体４３がテーパ面４２と第１の取付片３０の立設部３３との間に挟まれると、テーパ面４２，５０が互いに重なる。これらのテーパ面４２，５０が互いに重なることにより、誘導部本体４３即ち誘導部２１は、治具本体２０に位置決めされる。
【００５５】
第１の挿入誘導部材４４は、第１の端子収容室列１３ａに対応している。第１の挿入誘導部材４４は、板状に形成されている。第１の挿入誘導部材４４は、平面形状が略四角形に形成されている。第１の挿入誘導部材４４の一つの縁部４４ａには、図９に示すように、第１の誘導切欠き郡５１が設けられている。
【００５６】
第１の誘導切欠き郡５１は、誘導手段としての複数の誘導切欠き５２と、複数の印５３を備えている。誘導切欠き５２は、前記一つの縁部４４ａに位置する縁から前記一つの縁部４４ａから離れた側の他の縁部４４ｂ（図４などに示す）に向かって第１の挿入誘導部材４４を切り欠いている。即ち、誘導切欠き５２は、第１の挿入誘導部材４４を貫通している。
【００５７】
誘導切欠き５２の大きさは、端子収容室４の外表面３ａに開口した開口部の大きさと略等しい。誘導切欠き５２は、対応する第１の端子収容室列１３ａの複数の端子収容室４のうち端子金具２を収容する端子収容室４と重なる位置に配される。このため、図１０に示すように、端子金具２を収容する端子収容室４は誘導切欠き５２を通して開放される。また、図１１に示すように、端子金具２を収容しない端子収容室４は、前述した一つの縁部４４ａで塞がれる。
【００５８】
印５３は、誘導切欠き５２それぞれに対応している。印５３は、誘導切欠き５２の図９中上方に設けられている。印５３は、第１の挿入誘導部材４４の表面に形成されている。対応する誘導切欠き５２と重なる端子収容室４が収容する端子金具２に取り付けられた電線９の外表面９ａの２色Ａ，Ｂ（図９中に平行斜線で示す）を示している。印５３は、前述した２色Ａ，Ｂを示すことで、対応する誘導切欠き５２と重なる端子収容室４が収容する端子金具２を示している。
【００５９】
このため、第１の誘導切欠き郡５１は、対応する第１の端子収容室列１３ａの複数の端子収容室４のうち端子金具２を収容する端子収容室４を開放するとともに、端子金具２を収容しない端子収容室４を塞ぐ。こうして、第１の誘導切欠き郡５１は、対応する第１の端子収容室列１３ａの複数の端子収容室４のうち端子金具２を収容する端子収容室４に端子金具２が侵入することを許容する。また、第１の誘導切欠き郡５１は、対応する第１の端子収容室列１３ａの複数の端子収容室４のうち端子金具２を収容しない端子収容室４に端子金具２が侵入することを規制する。
【００６０】
前述した構成の第１の挿入誘導部材４４は、ヒンジ５４により他の縁部４４ｂを中心として回転自在に誘導部本体４３に取り付けられている。第１の挿入誘導部材４４は、図４中実線で示す一つの縁部４４ａが第１の端子収容室列１３ａを塞ぐ（に重なる）第１の位置と、図４中二点鎖線で示す第１の端子収容室列１３ａの全ての端子収容室４を開放する第２の位置とに亘って移動自在である。
【００６１】
第２の挿入誘導部材４５は、第２の端子収容室列１３ｂに対応している。第２の挿入誘導部材４５は、板状に形成されている。第２の挿入誘導部材４５は、平面形状が略四角形に形成されている。第２の挿入誘導部材４５の一つの縁部４５ａには、図１３に示すように、第２の誘導切欠き郡５５が設けられている。
【００６２】
第２の誘導切欠き郡５５は、誘導手段としての複数の誘導切欠き５６と、複数の印５７を備えている。誘導切欠き５６は、前記一つの縁部４５ａに位置する縁から前記一つの縁部４５ａから離れた側の他の縁部４５ｂ（図４などに示す）に向かって第２の挿入誘導部材４５を切り欠いている。即ち、誘導切欠き５６は、第２の挿入誘導部材４５を貫通している。
【００６３】
誘導切欠き５６の大きさは、端子収容室４の外表面３ａに開口した開口部の大きさと略等しい。誘導切欠き５６は、対応する第２の端子収容室列１３ｂの複数の端子収容室４のうち端子金具２を収容する端子収容室４と重なる位置に配される。このため、図１４に示すように、端子金具２を収容する端子収容室４は誘導切欠き５６を通して開放される。また、図１５に示すように、端子金具２を収容しない端子収容室４は、前述した一つの縁部４５ａで塞がれている。
【００６４】
印５７は、誘導切欠き５６それぞれに対応している。印５７は、誘導切欠き５６の図１３中上方に設けられている。印５７は、第２の挿入誘導部材４５の表面に形成されている。印５７は、対応する誘導切欠き５６と重なる端子収容室４が収容する端子金具２に取り付けられた電線９の外表面９ａの２色Ａ，Ｂ（図１３中に平行斜線で示す）を示している。印５７は、前述した２色Ａ，Ｂを示すことで、対応する誘導切欠き５６と重なる端子収容室４が収容する端子金具２を示している。
【００６５】
このため、第２の誘導切欠き郡５５は、対応する第２の端子収容室列１３ｂの複数の端子収容室４のうち端子金具２を収容する端子収容室４を開放するとともに、端子金具２を収容しない端子収容室４を塞ぐ。こうして、第２の誘導切欠き郡５５は、対応する第２の端子収容室列１３ｂの複数の端子収容室４のうち端子金具２を収容する端子収容室４に端子金具２が侵入することを許容する。また、第２の誘導切欠き郡５５は、対応する第２の端子収容室列１３ｂの複数の端子収容室４のうち端子金具２を収容しない端子収容室４に端子金具２が侵入することを規制する。
【００６６】
前述した構成の第２の挿入誘導部材４５は、ヒンジ５８により他の縁部４５ｂを中心として回転自在に誘導部本体４３に取り付けられる。第２の挿入誘導部材４５は、図４中実線で示す一つの縁部４５ａが第２の端子収容室列１３ｂを塞ぐ（に重なる）第１の位置と、図４中二点鎖線で示す第２の端子収容室列１３ｂの全ての端子収容室４を開放する第２の位置とに亘って移動自在である。
【００６７】
第３の挿入誘導部材４６は、第３の端子収容室列１３ｃに対応している。第３の挿入誘導部材４６は、板状に形成されている。第３の挿入誘導部材４６は、平面形状が略四角形に形成されている。第３の挿入誘導部材４６の一つの縁部４６ａには、図１７に示すように、第３の誘導切欠き郡５９が設けられている。
【００６８】
第３の誘導切欠き郡５９は、誘導手段としての複数の誘導切欠き６０と、複数の印６１を備えている。誘導切欠き６０は、前記一つの縁部４６ａに位置する縁から前記一つの縁部４６ａから離れた側の他の縁部４６ｂ（図４などに示す）に向かって第３の挿入誘導部材４６を切り欠いている。即ち、誘導切欠き６０は、第３の挿入誘導部材４６を貫通している。
【００６９】
誘導切欠き６０の大きさは、端子収容室４の外表面３ａに開口した開口部の大きさと略等しい。誘導切欠き６０は、対応する第３の端子収容室列１３ｃの複数の端子収容室４のうち端子金具２を収容する端子収容室４と重なる位置に配される。このため、図１８に示すように、端子金具２を収容する端子収容室４は誘導切欠き６０を通して開放される。また、図１９に示すように、端子金具２を収容しない端子収容室４は、前述した一つの縁部４６ａで塞がれている。
【００７０】
印６１は、誘導切欠き６０それぞれに対応している。印６１は、誘導切欠き６０の図１７中上方に設けられている。印６１は、第３の挿入誘導部材４６の表面に形成されている。印６１は、対応する誘導切欠き６０と重なる端子収容室４が収容する端子金具２に取り付けられた電線９の外表面９ａの２色Ａ，Ｂ（図１７中に平行斜線で示す）を示している。印６１は、前述した２色Ａ，Ｂを示すことで、対応する誘導切欠き５６と重なる端子収容室４が収容する端子金具２を示している。
【００７１】
このため、第３の誘導切欠き郡５９は、対応する第３の端子収容室列１３ｃの複数の端子収容室４のうち端子金具２を収容する端子収容室４を開放するとともに、端子金具２を収容しない端子収容室４を塞ぐ。こうして、第３の誘導切欠き郡５９は、対応する第３の端子収容室列１３ｃの複数の端子収容室４のうち端子金具２を収容する端子収容室４に端子金具２が侵入することを許容する。また、第３の誘導切欠き郡５９は、対応する第３の端子収容室列１３ｃの複数の端子収容室４のうち端子金具２を収容しない端子収容室４に端子金具２が侵入することを規制する。
【００７２】
前述した構成の第３の挿入誘導部材４６は、ヒンジ６２により他の縁部４６ｂを中心として回転自在に誘導部本体４３に取り付けられている。第３の挿入誘導部材４６は、図４中実線で示す一つの縁部４６ａが第３の端子収容室列１３ｃを塞ぐ（に重なる）第１の位置と、図４中二点鎖線で示す第３の端子収容室列１３ｃの全ての端子収容室４を開放する第２の位置とに亘って移動自在である。
【００７３】
なお、前述した第１ないし第３の挿入誘導部材４４，４５，４６は、本明細書に記した挿入誘導部材をなしている。このため、端子挿入治具１は、コネクタハウジング３の端子収容室列１３ａ，１３ｂ，１３ｃそれぞれに対応した挿入誘導部材４４，４５，４６を複数備えている。第１ないし第３の挿入誘導部材４４，４５，４６は、前述した第１の位置で互いに重なる。このとき、第１の挿入誘導部材４４に第２の挿入誘導部材４５が重なり、第２の挿入誘導部材４５に第３の挿入誘導部材４６が重なる。
【００７４】
さらに、これらの第１ないし第３の挿入誘導部材４４，４５，４６の他の縁部４４ｂ，４５ｂ，４６ｂの高さは、第１の位置で上方に位置するものが下方に位置するものより高くなっている。即ち、第３の挿入誘導部材４６の他の縁部４６ｂより第２の挿入誘導部材４５の他の縁部４５ｂが高く、第２の挿入誘導部材４５の他の縁部４５ｂより第１の挿入誘導部材４４の他の縁部４４ｂが高い。こうして、他の縁部４４ｂ，４５ｂ，４６ｂの端子収容室４に端子金具２を挿入する方向（図４中の矢印Ｐで示す方向）の、コネクタ保持台２３に固定されるコネクタハウジング３からの距離Ｌ１，Ｌ２，Ｌ３が、コネクタハウジング３寄りの第３の挿入誘導部材４６からコネクタハウジング３から離れた第１の挿入誘導部材４４に向かうにしたがって徐々に長くなっている。
【００７５】
また、前述した第１ないし第３の挿入誘導部材４４，４５，４６の第１ないし第３の誘導切欠き郡５１，５５，５９は、以下のように得られる。まず、図２５に示すように、これらの挿入誘導部材４４，４５，４６を形成するための母材６３の一つの縁部６３ａ（４４ａ，４５ａ，４６ａ）に複数の切欠き６４を設けておく。これらの切欠き６４は、勿論第１ないし第３の挿入誘導部材４４，４５，４６を形成する母材６３を切り欠いている。
【００７６】
切欠き６４の矢印Ｍ方向の幅Ｗは、コネクタハウジング３の端子収容室４を区画する壁１２の矢印Ｍ方向の厚みＴ（図９、図１３及び図１７に示す）と等しい。また、互いに隣り合う切欠き６４間の間隔Ｄは、前記端子収容室４の矢印Ｍ方向の幅Ｗ１（図９、図１３及び図１７に示す）と等しい。そののち、誘導切欠き５２，５６，６０を設ける箇所の切欠き６４間に位置する母材６３を除去する。こうして、所望の位置に、誘導切欠き５２，５６，６０を形成した第１ないし第３の挿入誘導部材４４，４５，４６を得る。
【００７７】
一対の位置決め片４７は、誘導部本体４３に固定されている。一対の位置決め片４７は、矢印Ｍに沿って互いの間に第１の位置に位置づけられた第１ないし第３の挿入誘導部材４４，４５，４６を挟む位置に配されている。一対の位置決め片４７は、前記第１の位置で、各誘導切欠き５２，５６，６０が端子金具２を収容する端子収容室４に重なる位置に、第１ないし第３の挿入誘導部材４４，４５，４６を位置決めする。
【００７８】
以下、前述した構成の端子挿入治具１を用いたコネクタハウジング３の端子収容室４への端子金具２の挿入方法を説明する。まず、コネクタ保持台２３の凹部２６内にコネクタハウジング３を挿入する。このとき、コネクタハウジング３の外表面３ａとコネクタ保持台２３の上面２３ａとが略同一平面上に位置する。その後、着脱機構２４により、誘導部２１を治具本体２０に取り付ける。
【００７９】
まず、図８に示すように、第１ないし第３の挿入誘導部材４４，４５，４６全てを第１の位置に位置づける。すると、一対の位置決め片４７間に第１ないし第３の挿入誘導部材４４，４５，４６全てが挟まれる。これらの第１ないし第３の挿入誘導部材４４，４５，４６は、矢印Ｍ（図５などに示す）に沿って位置決めされる。
【００８０】
さらに、図９に示すように、第１の挿入誘導部材４４の一つの縁部４４ａが第１の端子収容室列１３ａに重なる。第１の誘導切欠き郡５１の誘導切欠き５２は、端子金具２を収容する端子収容室４を開放するとともに、端子金具２を収容する端子収容室４を塞ぐ。そして、作業員は、印５３と同じ２色Ａ，Ｂでストライプ模様に形成された電線９が取付られた端子金具２を誘導切欠き５２を通して端子収容室４内に挿入する。
【００８１】
第１の端子収容室列１３ａの端子収容室４に所望の端子金具２を挿入した後、図１２に示すように、第１の挿入誘導部材４４を第２の位置に位置づける。すると、図１３に示すように、第２の挿入誘導部材４５の一つの縁部４５ａが第２の端子収容室列１３ｂに重なっている。第２の誘導切欠き郡５５の誘導切欠き５６は、端子金具２を収容する端子収容室４を開放するとともに、端子金具２を収容する端子収容室４を塞ぐ。そして、作業員は、印５７と同じ２色Ａ，Ｂでストライプ模様に形成された電線９が取付られた端子金具２を誘導切欠き５６を通して端子収容室４内に挿入する。
【００８２】
第２の端子収容室列１３ｂの端子収容室４に所望の端子金具２を挿入した後、図１６に示すように、第２の挿入誘導部材４６を第２の位置に位置づける。すると、図１７に示すように、第３の挿入誘導部材４６の一つの縁部４６ａが第３の端子収容室列１３ｃに重なっている。第３の誘導切欠き郡５９の誘導切欠き６０は、端子金具２を収容する端子収容室４を開放するとともに、端子金具２を収容する端子収容室４を塞ぐ。そして、作業員は、印６１と同じ２色Ａ，Ｂでストライプ模様に形成された電線９が取付られた端子金具２を誘導切欠き６０を通して端子収容室４内に挿入する。
【００８３】
全ての端子収容室列１３ａ，１３ｂ，１３ｃの所望の端子収容室４に所望の端子金具２を挿入した後、図２０に示すように、第３の挿入誘導部材４６を第２の位置に位置づける。そして、図２１に示すように、凹部２６内からコネクタハウジング３を抜き取る。こうして、コネクタハウジング３に端子金具２を取り付ける。
【００８４】
さらに、誘導部２１を治具本体２０から取り外す際には、図２２に示すように、テーパ面４２，５０が互いに重なりかつ誘導部本体４３がテーパ面４２と第１の取付片３０の立設部３３との間に挟まれた状態から、矢印Ｏに沿ってレバー２８を回転する。すると、図２３に示すように、スライド部材２９が水平方向にスライド移動して、テーパ面４２が第１の取付片３０の立設部３３から離れる。そして、図２４に示すように、誘導部本体４３即ち誘導部２１を上方に移動させて、切欠き４８内から押さえ部４０を抜き取って、治具本体２０から誘導部２１を取り外す。
【００８５】
本実施形態によれば、第１ないし第３の挿入誘導部材４４，４５，４６がコネクタハウジング３の第１ないし第３の端子収容室列１３ａ，１３ｂ，１３ｃそれぞれに対応している。それぞれの挿入誘導部材４４，４５，４６は、他の縁部４４ｂ，４５ｂ，４６ｂを中心として回転することで、対応する端子収容室列１３ａ，１３ｂ，１３ｃの端子収容室４を塞ぐ第１の位置と、端子収容室４を開放する第２の位置とに亘って移動自在である。第１ないし第３の挿入誘導部材４４，４５，４６は、第１の位置で端子金具２を収容する端子収容室４を開放する誘導切欠き５２，５６，６０を備えている。
【００８６】
このため、第１ないし第３の挿入誘導部材４４，４５，４６を第１の位置に位置づけて、誘導切欠き５２，５６，６０により端子金具２を収容する端子収容室４に確実に端子金具２を挿入できる。また、第１の位置では、第１ないし第３の挿入誘導部材４４，４５，４６の一つの縁部４４ａ，４５ａ，４６ａは、端子収容室４を塞ぐ。このため、端子金具２を挿入しない端子収容室４に端子金具２を挿入することを防止できる。
【００８７】
さらに、第１ないし第３の挿入誘導部材４４，４５，４６の表面に、端子収容室４に挿入する端子金具２を示す印５３，５７，６１が形成されている。印５３，５７，６１は、各誘導切欠き５２，５６，６０の上方に設けられている。このため、端子収容室４に誤った端子金具２を挿入することを防止できる。
【００８８】
第１ないし第３の挿入誘導部材４４，４５，４６は、第１の位置でコネクタハウジング３寄りのものから順にコネクタハウジング３から離れるのにしたがって（下方のものから上方のものに向かって順に）、鉛直方向（端子収容室４に端子金具２を挿入する方向）の他の縁部４４ｂ，４５ｂ，４６ｂのコネクタハウジング３からの距離Ｌ１，Ｌ２，Ｌ３が長くなっている。
【００８９】
このため、第１の位置で互いに重なる第１ないし第３の挿入誘導部材４４，４５，４６は、互いに並行になる。このため、特に、第１の位置で上方に位置する挿入誘導部材４４，４５の誘導切欠き５２，５６は、確実に端子金具２を収容する端子収容室４を開放できる。また、特に、上方に位置する挿入誘導部材４４，４５の一つの縁部４４ａ，４５ａは、端子金具２を収容しない端子収容室４を塞ぐことができる。したがって、誤った端子金具２を端子収容室４に挿入することを確実に抑制できる。
【００９０】
さらに、一対の位置決め片４７が第１の位置で第１ないし第３の挿入誘導部材４４，４５，４６を位置決めする。このため、第１ないし第３の挿入誘導部材４４，４５，４６は、確実に端子金具２を収容する端子収容室４を開放できるとともに端子金具２を収容しない端子収容室４を塞ぐことができる。したがって、誤った端子金具２を端子収容室４に挿入することをより一層確実に抑制できる。
【００９１】
また、誘導部２１即ち第１ないし第３の挿入誘導部材４４，４５，４６が治具本体２０に着脱自在となっている。このため、誘導切欠き５２，５６，６０を形成する箇所を変更した挿入誘導部材４４，４５，４６を複数種用意して、これらの挿入誘導部材４４，４５，４６から任意の誘導挿入部材４４，４５，４６を選択して、治具本体２０に取り付けることができる。このため、第１ないし第３の挿入誘導部材４４，４５，４６を、それぞれ、複数用意しておくことにより、端子挿入治具１は、複数のコネクタハウジング３の端子収容室４に端子金具２を挿入する際にも対応できる。
【００９２】
誘導切欠き５２，５６，６０を形成する切欠き６４間の間隔Ｄは端子収容室４の幅Ｗ１と等しく、切欠き６４の幅Ｗは端子収容室４を区画する壁１２の厚みＴと等しい。このため、一つの誘導切欠き５２，５６，６０は、端子金具２を収容すべき端子収容室４をひとつのみ開放する。したがって、誘導切欠き５２，５６，６０が開放した端子収容室４に端子金具２を挿入することによって、所望の端子収容室４に端子金具２を確実に挿入できる。
【００９３】
次に、本発明の第２の実施形態にかかる端子挿入治具を図２６ないし図２９を参照して説明する。なお、前述した第１の実施形態と同一部分には、同一符号を付して説明を省略する。
【００９４】
本実施形態では、図２６ないし図２８に示すように、第１のレール７１と第２のレール７２と第３のレール７３とを備えている。第１ないし第３のレール７１，７２，７３は、誘導部本体４３に取り付けられている。これらのレール７１，７２，７３は、それぞれ互いに平行な一対の棒７４を備えている。これらのレール７１，７２，７３の棒７４の長手方向は、コネクタ保持台２３に取り付けられるコネクタハウジング３の端子収容室列１３ａ，１３ｂ，１３ｃの端子収容室４が並ぶ方向（矢印Ｍ）に沿っている。
【００９５】
また、第１ないし第３のレール７１，７２，７３のうち第１のレール７１は、最もコネクタ保持台２３から離れている。第１ないし第３のレール７１，７２，７３のうち第３のレール７３は、最もコネクタ保持台２３寄りに配されている。第２のレール７２は、第１のレール７１と第３のレール７３との間に配されている。
【００９６】
また、第１ないし第３の挿入誘導部材４４，４５，４６の他の縁部４４ｂ，４５ｂ，４６ｂには、図２９に示すように、ピン７５が取り付けられている。第１の挿入誘導部材４４に取り付けられたピン７５は、第１のレール７１の一対の棒７４間に挿入される。ピン７５は、矢印Ｍ（図２６に示す）に沿ってスライド自在に第１のレール７１に支持される。第２の挿入誘導部材４５に取り付けられたピン７５は、図２８に示すように、第２のレール７２の一対の棒７４間に挿入される。ピン７５は、矢印Ｍ（図２６に示す）に沿ってスライド自在に第２のレール７２に支持される。第３の挿入誘導部材４６に取り付けられたピン７５は、図２８に示すように、第３のレール７３の一対の棒７４間に挿入される。ピン７５は、矢印Ｍ（図２６に示す）に沿ってスライド自在に第３のレール７３に支持される。さらに、本実施形態では、一対の位置決め片４７のうち一方のみ設けている。
【００９７】
前述した構成によれば、第１ないし第３のレール７１，７２，７３とピン７５により、第１ないし第３の挿入誘導部材４４，４５，４６は、誘導部本体４２に対して矢印Ｍに沿ってスライド自在となる。なお、第１ないし第３の挿入誘導部材４４，４５，４６は、第１の位置では、一つの縁部４４ａ，４５ａ，４６ａが端子収容室列１３ａ，１３ｂ，１３ｃに重なる。また、第２の位置では、第１ないし第３の挿入誘導部材４４，４５，４６は、第１の位置から矢印Ｍに沿ってコネクタ保持台２３から離れる方向に移動して、一つの縁部４４ａ，４５ａ，４６ａが端子収容室列１３ａ，１３ｂ，１３ｃに重ならない。
【００９８】
さらに、本実施形態では、コネクタ保持台２３は、リニアガイド９０とレバー９１などにより、ベース板２２に矢印Ｎに沿ってスライド自在に支持されている。リニアガイド９０は、レール９２とスライダ９３とを備えている。レール９２は、矢印Ｎに沿って延びている。レール９２は、ベース板２２に取り付けられている。スライダ９３は、レール９２に矢印Ｎに沿ってスライド自在に取り付けられている。スライダ９３には、柱２５が取り付けられている。
【００９９】
レバー９１は、帯板状に形成されている。レバー９１は、一端部９１ａを中心として、ベース板２２に矢印Ｒに沿って回転自在に取り付けられている。レバー９１の中央部には、該レバー９１の長手方向に沿って延びた長孔９４が設けられている。長孔９４には、スライダ９３と連結したピン９５が通されている。
【０１００】
前述した構成によれば、一端部９１ａを中心として矢印Ｒに沿ってレバー９１を回転することで、スライダ９３が矢印Ｎに沿ってスライドする。すると、スライダ９３に柱２５が取り付けられているので、コネクタ保持台２３が例えば図２７中に実線で示す位置と図２７中に二点鎖線で示す位置とに亘って、矢印Ｎに沿ってスライドする。
【０１０１】
本実施形態の端子挿入治具１を用いて、コネクタハウジング３の端子収容室４に端子金具２を挿入する際には、第１ないし第３の挿入誘導部材４４，４５，４６を矢印Ｍに沿ってスライドさせる。まず、第１の端子収容室列１３ａの端子収容室４に端子金具２を収容する際には、第１の挿入誘導部材４４の一つの縁部４４ａを第１の端子収容室列１３ａに重ねる。第２の端子収容室列１３ｂの端子収容室４に端子金具２を収容する際には、第２の挿入誘導部材４５の一つの縁部４５ａを第２の端子収容室列１３ｂに重ねる。第３の端子収容室列１３ｃの端子収容室４に端子金具２を収容する際には、第３の挿入誘導部材４６の一つの縁部４６ａを第３の端子収容室列１３ｃに重ねる。第１ないし第３の挿入誘導部材４４，４５，４６を矢印Ｍに沿って順次スライドさせて、所望の端子収容室４に所望の端子金具２を挿入する。これらの第１ないし第３の挿入誘導部材４４，４５，４６を矢印Ｍに沿ってスライドする際には、適宜レバー９１を矢印Ｒに沿って回転して、コネクタ保持台２３を矢印Ｎに沿ってスライドする。
【０１０２】
本実施形態によれば、前述した第１の実施形態と同様に、第１ないし第３の挿入誘導部材４４，４５，４６がコネクタハウジング３の第１ないし第３の端子収容室列１３ａ，１３ｂ，１３ｃそれぞれに対応している。それぞれの挿入誘導部材４４，４５，４６は、矢印Ｍに沿ってスライドすることで、対応する端子収容室列１３ａ，１３ｂ，１３ｃの端子収容室４を塞ぐ第１の位置と、端子収容室４を開放する第２の位置とに亘って移動自在である。第１ないし第３の挿入誘導部材４４，４５，４６は、第１の位置で端子金具２を収容する端子収容室４を開放する誘導切欠き５２，５６，６０を備えている。
【０１０３】
このため、第１ないし第３の挿入誘導部材４４，４５，４６を第１の位置に位置づけて、誘導切欠き５２，５６，６０により端子金具２を収容する端子収容室４に確実に端子金具２を挿入できる。また、第１の位置では、第１ないし第３の挿入誘導部材４４，４５，４６の一つの縁部４４ａ，４５ａ，４６ａは、端子収容室４を塞ぐ。このため、端子金具２を挿入しない端子収容室４に端子金具２を挿入することを防止できる。
【０１０４】
さらに、第１ないし第３の挿入誘導部材４４，４５，４６の表面に、端子収容室４に挿入する端子金具２を示す印５３，５７，６１が形成されている。印５３，５７，６１は、各誘導切欠き５２，５６，６０の上方に設けられている。このため、端子収容室４に誤った端子金具２を挿入することを防止できる。
【０１０５】
第１ないし第３の挿入誘導部材４４，４５，４６は、第１の位置でコネクタハウジング３寄りのものから順にコネクタハウジング３から離れるのにしたがって（下方のものから上方のものに向かって順に）、鉛直方向（端子収容室４に端子金具２を挿入する方向）の他の縁部４４ｂ，４５ｂ，４６ｂのコネクタハウジング３からの距離Ｌ１，Ｌ２，Ｌ３が徐々に長くなっている。このため、第１の位置で互いに重なる第１ないし第３の挿入誘導部材４４，４５，４６は、互いに並行になる。このため、特に、上方に位置する挿入誘導部材４４，４５の誘導切欠き５２，５６は、確実に端子金具２を収容する端子収容室４を開放できる。また、特に、上方に位置する挿入誘導部材４４，４５の一つの縁部４４ａ，４５ａは、端子金具２を収容しない端子収容室４を塞ぐことができる。したがって、誤った端子金具２を端子収容室４に挿入することを確実に抑制できる。
【０１０６】
さらに、一方の位置決め片４７に接触させることで、第１の位置で第１ないし第３の挿入誘導部材４４，４５，４６を位置決めする。このため、第１ないし第３の挿入誘導部材４４，４５，４６は、確実に端子金具２を収容する端子収容室４を開放できるとともに端子金具２を収容しない端子収容室４を塞ぐことができる。したがって、誤った端子金具２を端子収容室４に挿入することをより一層確実に抑制できる。
【０１０７】
また、誘導部２１即ち第１ないし第３の挿入誘導部材４４，４５，４６が治具本体２０に着脱自在となっている。このため、誘導切欠き５２，５６，６０を形成する箇所を変更した挿入誘導部材４４，４５，４６を複数用意して、これらの挿入誘導部材４４，４５，４６から任意の誘導挿入部材４４，４５，４６を選択して、治具本体２０に取り付けることができる。このため、第１ないし第３の挿入誘導部材４４，４５，４６を、それぞれ、複数用意しておくことにより、端子挿入治具１は、複数のコネクタハウジング３の端子収容室４に端子金具２を挿入する際にも対応できる。
【０１０８】
また、本実施形態では、図３０に示すように、第１の挿入誘導部材４４と第２の挿入誘導部材４５と第３の挿入誘導部材４６とを矢印Ｍに沿って並べて一体に形成しても良い。この場合も、矢印Ｍに沿って移動することで、第１の挿入誘導部材４４と第２の挿入誘導部材４５と第３の挿入誘導部材４６とを順に第１の位置に位置づけて、端子収容室４に端子金具２を挿入する。
【０１０９】
この場合も、挿入誘導部材４４，４５，４６を第１の位置と第２の位置とに亘って確実に移動自在にできる。したがって、第１の位置で、端子金具２を挿入する端子収容室４を確実に開放でき、端子金具２を収容しない端子収容室４を確実に塞ぐことができ、誤った端子金具２を端子収容室４に挿入することを確実に抑制できる。
【０１１０】
次に、本発明の第３の実施形態にかかる端子挿入治具を図３１ないし図３３を参照して説明する。なお、前述した第１の実施形態と同一部分には、同一符号を付して説明を省略する。
【０１１１】
本実施形態では、誘導部本体４３は、第１の取付片３０を介して治具本体２０のベース板２２に固定されている。本実施形態では、図３１及び図３２に示すように、複数のスライド棒７６を備えている。第１ないし第３の挿入誘導部材４４，４５，４６は、前記スライド棒７６を通すことのできる孔７７を備えている。
【０１１２】
スライド棒７６は、治具本体２０のベース板２２から立設している。スライド棒７６の長手方向は、鉛直方向に沿っている。第１ないし第３の挿入誘導部材４４，４５，４６は、孔７７内にスライド棒７６を通すことにより、矢印Ｐ１で示す鉛直方向即ちコネクタハウジング３の端子収容室４に端子金具２を挿入する方向（図３２中の矢印Ｐ）に沿って、スライド自在となっている。
【０１１３】
スライド棒７６により、第１ないし第３の挿入誘導部材４４，４５，４６は、治具本体２０に対して矢印Ｐに沿ってスライド自在となる。なお、第１ないし第３の挿入誘導部材４４，４５，４６は、第１の位置では、一つの縁部４４ａ，４５ａ，４６ａが端子収容室列１３ａ，１３ｂ，１３ｃに重なる。また、第２の位置では、第１ないし第３の挿入誘導部材４４，４５，４６は、第１の位置から矢印Ｐ１に沿って上方に移動して、一つの縁部４４ａ，４５ａ，４６ａが端子収容室列１３ａ，１３ｂ，１３ｃに重ならない。
【０１１４】
また、各スライド棒７６には、図３１ないし図３３に示すように、一対のばね片７８が取り付けられている。これらのばね片７８は、鉛直方向に沿って互いに間隔をあけて配されている。それぞれのばね片７８は、スライド棒７６の外表面に取り付けられている。ばね片７８は、スライド棒７６の外周方向に突没自在な弾性変形部７８ａを備えている。
【０１１５】
ばね片７８は、第１ないし第３の挿入誘導部材４４，４５，４６の孔７７内に通される際に、弾性変形部７８ａが一旦スライド棒７６の外表面に没する方向に弾性変形する。さらに、ばね片７８は、第１ないし第３の挿入誘導部材４４，４５，４６の孔７７内に通されると、弾性変形部７８ａがスライド棒７６の外周方向に突出する初期状態に復帰する。これらのばね片７８は、第１の位置に位置づけられた第１ないし第３の挿入誘導部材４４，４５，４６をこの第１の位置に保つ。また、ばね片７８は、第２の位置に位置づけられた第１ないし第３の挿入誘導部材４４，４５，４６をこの第２の位置に保つ。
【０１１６】
本実施形態の端子挿入治具１を用いて、コネクタハウジング３の端子収容室４に端子金具２を挿入する際には、第１ないし第３の挿入誘導部材４４，４５，４６を矢印Ｐ１に沿ってスライドさせる。
【０１１７】
まず、第１の端子収容室列１３ａの端子収容室４に端子金具２を収容する際には、第１の挿入誘導部材４４の一つの縁部４４ａを第１の端子収容室列１３ａに重ねる。第２の端子収容室列１３ｂの端子収容室４に端子金具２を収容する際には、第２の挿入誘導部材４５の一つの縁部４５ａを第２の端子収容室列１３ｂに重ねる。第３の端子収容室列１３ｃの端子収容室４に端子金具２を収容する際には、第３の挿入誘導部材４６の一つの縁部４６ａを第３の端子収容室列１３ｃに重ねる。第１ないし第３の挿入誘導部材４４，４５，４６を矢印Ｐ１に沿って順次スライドさせて、所望の端子収容室４に所望の端子金具２を挿入する。
【０１１８】
本実施形態によれば、前述した第１の実施形態と同様に、第１ないし第３の挿入誘導部材４４，４５，４６がコネクタハウジング３の第１ないし第３の端子収容室列１３ａ，１３ｂ，１３ｃそれぞれに対応している。それぞれの挿入誘導部材４４，４５，４６は、矢印Ｐ１に沿ってスライドすることで、対応する端子収容室列１３ａ，１３ｂ，１３ｃの端子収容室４を塞ぐ第１の位置と、端子収容室４を開放する第２の位置とに亘って移動自在である。第１ないし第３の挿入誘導部材４４，４５，４６は、第１の位置で端子金具２を収容する端子収容室４を開放する誘導切欠き５２，５６，６０を備えている。
【０１１９】
このため、第１ないし第３の挿入誘導部材４４，４５，４６を第１の位置に位置づけて、誘導切欠き５２，５６，６０により端子金具２を収容する端子収容室４に確実に端子金具２を挿入できる。また、第１の位置では、第１ないし第３の挿入誘導部材４４，４５，４６の一つの縁部４４ａ，４５ａ，４６ａは、端子収容室４を塞ぐ。このため、端子金具２を挿入しない端子収容室４に端子金具２を挿入することを防止できる。
【０１２０】
さらに、第１ないし第３の挿入誘導部材４４，４５，４６の表面に、端子収容室４に挿入する端子金具２を示す印５３，５７，６１が形成されている。印５３，５７，６１は、各誘導切欠き５２，５６，６０の上方に設けられている。このため、端子収容室４に誤った端子金具２を挿入することを防止できる。
【０１２１】
第１ないし第３の挿入誘導部材４４，４５，４６は、第１の位置でコネクタハウジング３寄りのものから順にコネクタハウジング３から離れるのにしたがって（下方のものから上方のものに向かって順に）、鉛直方向（端子収容室４に端子金具２を挿入する方向）の他の縁部４４ｂ，４５ｂ，４６ｂのコネクタハウジング３からの距離Ｌ１，Ｌ２，Ｌ３が徐々に長くなっている。このため、第１の位置で互いに重なる第１ないし第３の挿入誘導部材４４，４５，４６は、互いに並行になる。このため、特に、上方に位置する挿入誘導部材４４，４５の誘導切欠き５２，５６は、確実に端子金具２を収容する端子収容室４を開放できる。また、特に、上方に位置する挿入誘導部材４４，４５の一つの縁部４４ａ，４５ａは、端子金具２を収容しない端子収容室４を塞ぐことができる。したがって、誤った端子金具２を端子収容室４に挿入することを確実に抑制できる。
【０１２２】
さらに、一対の位置決め片４７が第１の位置で第１ないし第３の挿入誘導部材４４，４５，４６を位置決めする。このため、第１ないし第３の挿入誘導部材４４，４５，４６は、確実に端子金具２を収容する端子収容室４を開放できるとともに端子金具２を収容しない端子収容室４を塞ぐことができる。したがって、誤った端子金具２を端子収容室４に挿入することをより一層確実に抑制できる。
【０１２３】
また、第１ないし第３の挿入誘導部材４４，４５，４６を上方に移動させて、孔７７内からスライド棒７６を抜き取ることで、第１ないし第３の挿入誘導部材４４，４５，４６をスライド棒７６即ち治具本体２０から取り外すことができる。このように、第１ないし第３の挿入誘導部材４４，４５，４６を矢印Ｐ１に沿ってスライドさせることで、治具本体２０に着脱自在となっている。
【０１２４】
このため、誘導切欠き５２，５６，６０を形成する箇所を変更した挿入誘導部材４４，４５，４６を複数用意して、これらの挿入誘導部材４４，４５，４６から任意の誘導挿入部材４４，４５，４６を選択して、治具本体２０に取り付けることができる。このため、第１ないし第３の挿入誘導部材４４，４５，４６を、それぞれ、複数用意しておくことにより、端子挿入治具１は、複数のコネクタハウジング３の端子収容室４に端子金具２を挿入する際にも対応できる。
【０１２５】
次に、本発明の第４の実施形態にかかる端子挿入治具を図３４ないし図３７を参照して説明する。なお、前述した第１の実施形態と同一部分には、同一符号を付して説明を省略する。
【０１２６】
本実施形態では、図３４ないし図３６に示すように、筒部材８０を備えている。筒部材８０は、扁平な箱状に形成されている。筒部材８０は、誘導部本体４３に取り付けられている。筒部材８０は、第１ないし第３の収容室８１，８２，８３を備えている。第１の収容室８１は、第１の挿入誘導部材４４をスライド自在に収容している。第２の収容室８２は、第１の収容室８１の下方に配されかつ第２の挿入誘導部材４５をスライド自在に収容している。第３の収容室８３は、第２の収容室８２の下方に配されかつ第３の挿入誘導部材４６をスライド自在に収容している。
【０１２７】
筒部材８０は、第１ないし第３の挿入誘導部材４４，４５，４６をコネクタ保持台２３に近づいたり離れたり（接離）自在に支持している。即ち、第１ないし第３の挿入誘導部材４４，４５，４６を前記矢印Ｎに沿ってスライド移動させる。なお、図３４に示すように、端子収容室列１３ａ，１３ｂ，１３ｃが互いに重なる矢印Ｎに沿う方向は、側方からみると、前記第１ないし第３の挿入誘導部材４４，４５，４６がスライドする方向に対し交差している。しかし、本明細書では、第１ないし第３の挿入誘導部材４４，４５，４６の一つの縁部４４ａ，４５ａ，４６ａが、図３４の左右方向に移動することを、第１ないし第３の挿入誘導部材４４，４５，４６が前記矢印Ｎに沿って移動するという。
【０１２８】
こうして、第１ないし第３の挿入誘導部材４４，４５，４６は、前記矢印Ｎに沿ってスライド自在に筒部材８０に支持されており、図３５に示す第１の位置と図３６に示す第２の位置とに亘って移動自在となる。また、筒部材８０の第１ないし第３の収容室８１，８２，８３の内側には、図３７に示すように、ばね片８４が設けられている。ばね片８４は、第１ないし第３の収容室８１，８２，８３の内側に突没自在である。
【０１２９】
ばね片８４は、第１ないし第３の挿入誘導部材４４，４５，４６の他の縁部４ｂ，４５ｂ，４６ｂに設けられた窪み８５に係止する。これらのばね片８４は、窪み８５に係止することで、第２の位置に位置づけられた第１ないし第３の挿入誘導部材４４，４５，４６をこの第２の位置に保つ。
【０１３０】
本実施形態の端子挿入治具１を用いて、コネクタハウジング３の端子収容室４に端子金具２を挿入する際には、第１ないし第３の挿入誘導部材４４，４５，４６を矢印Ｎに沿ってスライドさせる。
【０１３１】
まず、第１の端子収容室列１３ａの端子収容室４に端子金具２を収容する際には、第１の挿入誘導部材４４の一つの縁部４４ａを第１の端子収容室列１３ａに重ねる。第２の端子収容室列１３ｂの端子収容室４に端子金具２を収容する際には、第２の挿入誘導部材４５の一つの縁部４５ａを第２の端子収容室列１３ｂに重ねる。第３の端子収容室列１３ｃの端子収容室４に端子金具２を収容する際には、第３の挿入誘導部材４６の一つの縁部４６ａを第３の端子収容室列１３ｃに重ねる。第１ないし第３の挿入誘導部材４４，４５，４６を矢印Ｎに沿って順次スライドさせて、所望の端子収容室４に所望の端子金具２を挿入する。
【０１３２】
本実施形態によれば、前述した第１の実施形態と同様に、第１ないし第３の挿入誘導部材４４，４５，４６がコネクタハウジング３の第１ないし第３の端子収容室列１３ａ，１３ｂ，１３ｃそれぞれに対応している。それぞれの挿入誘導部材４４，４５，４６は、矢印Ｎに沿ってスライドすることで、対応する端子収容室列１３ａ，１３ｂ，１３ｃの端子収容室４を塞ぐ第１の位置と、端子収容室４を開放する第２の位置とに亘って移動自在である。第１ないし第３の挿入誘導部材４４，４５，４６は、第１の位置で端子金具２を収容する端子収容室４を開放する誘導切欠き５２，５６，６０を備えている。
【０１３３】
このため、第１ないし第３の挿入誘導部材４４，４５，４６を第１の位置に位置づけて、誘導切欠き５２，５６，６０により端子金具２を収容する端子収容室４に確実に端子金具２を挿入できる。また、第１の位置では、第１ないし第３の挿入誘導部材４４，４５，４６の一つの縁部４４ａ，４５ａ，４６ａは、端子収容室４を塞ぐ。このため、端子金具２を挿入しない端子収容室４に端子金具２を挿入することを防止できる。
【０１３４】
さらに、第１ないし第３の挿入誘導部材４４，４５，４６の表面に、端子収容室４に挿入する端子金具２を示す印５３，５７，６１が形成されている。印５３，５７，６１は、各誘導切欠き５２，５６，６０の上方に設けられている。このため、端子収容室４に誤った端子金具２を挿入することを防止できる。
【０１３５】
また、一対の位置決め片４７が第１の位置で第１ないし第３の挿入誘導部材４４，４５，４６を位置決めする。このため、第１ないし第３の挿入誘導部材４４，４５，４６は、確実に端子金具２を収容する端子収容室４を開放できるとともに端子金具２を収容しない端子収容室４を塞ぐことができる。したがって、誤った端子金具２を端子収容室４に挿入することをより一層確実に抑制できる。
【０１３６】
誘導部２１即ち第１ないし第３の挿入誘導部材４４，４５，４６が治具本体２０に着脱自在となっている。このため、誘導切欠き５２，５６，６０を形成する箇所を変更した挿入誘導部材４４，４５，４６を複数用意して、これらの挿入誘導部材４４，４５，４６から任意の誘導挿入部材４４，４５，４６を選択して、治具本体２０に取り付けることができる。このため、第１ないし第３の挿入誘導部材４４，４５，４６を、それぞれ、複数用意しておくことにより、端子挿入治具１は、複数のコネクタハウジング３の端子収容室４に端子金具２を挿入する際にも対応できる。
【０１３７】
前述した実施形態では、電線９の外表面９ａが互いに異なる色Ａ，Ｂでストライプ模様に形成され、印５３，５７，６１を電線９の外表面９ａと同じ色Ａ，Ｂで形成している。しかしながら、本発明では、電線９の外表面９ａを例えば斑点などのストライプ以外の模様に形成しても良い。この場合、印５３，５７，６１を勿論外表面９ａに対応させて、例えば斑点などのストライプ以外の模様に形成するのが望ましい。
【０１３８】
また、前述した実施形態では、コネクタハウジング３が端子収容室列１３ａ，１３ｂ，１３ｃを三つ備えており、端子挿入治具１は挿入誘導部材４４，４５，４６を三つ備えている。しかしながら、本発明では、コネクタハウジング３が端子収容室列を二つ備えて、端子挿入治具１は挿入誘導部材を二つ備えても良い。さらに、コネクタハウジング３が端子収容室列を四つ以上備えて、端子挿入治具１は挿入誘導部材を四つ以上備えても良い。
さらに、前述した実施形態では、切欠き６４の矢印Ｍ方向の幅Ｗがコネクタハウジング３の端子収容室４を区画する壁１２の矢印Ｍ方向の厚みＴと等しい。また、互いに隣り合う切欠き６４間の間隔Ｄが、前記端子収容室４の矢印Ｍ方向の幅Ｗ１と等しい。
しかしながら、本発明では、所望の端子収容室４に所望の端子金具２を挿入できるのであれば、切欠き６４の幅Ｗがコネクタハウジング３の端子収容室４を区画する壁１２の厚みと若干異なっていても良い。また、互いに隣り合う切欠き６４間の間隔Ｄが、前記端子収容室４の幅Ｗ１と若干異なっていても良い。このように、本明細書では、等しいことと若干異なっていることを総じて、略等しいと記す。要するに、本発明では、切欠き６４の幅Ｗがコネクタハウジング３の端子収容室４を区画する壁１２の厚みと略等しく、互いに隣り合う切欠き６４間の間隔Ｄが前記端子収容室４の幅Ｗ１と略等しい。
【０１３９】
【発明の効果】
以上説明したように請求項１に記載の本発明によれば、挿入誘導部材がコネクタハウジングの端子収容室列それぞれに対応している。それぞれの挿入誘導部材は、対応する端子収容室列の端子収容室を塞ぐ第１の位置と、端子収容室を開放する第２の位置とに亘って移動自在である。挿入誘導部材は、第１の位置で端子金具を収容する端子収容室を開放する誘導手段を備えている。
【０１４０】
このため、挿入誘導部材を第１の位置に位置づけて、誘導手段により端子金具を収容する端子収容室に確実に端子金具を挿入できる。また、第１の位置では、挿入誘導部材は、端子収容室を塞ぐ。このため、端子金具を挿入しない端子収容室に端子金具を挿入することを防止できる。したがって、誤った端子金具を端子収容室に挿入することを抑制できる。
【０１４１】
挿入誘導部材は、第１の位置で下方のものから上方のものに向かって順に、他の縁部のコネクタハウジングからの距離が徐々に長くなっている。このため、第１の位置で互いに重なる複数の挿入誘導部材は、互いに並行になる。このため、特に、上方に位置する挿入誘導部材の誘導手段は、確実に端子金具を収容する端子収容室を開放するとともに端子金具を収容しない端子収容室を塞ぐことができる。したがって、誤った端子金具を端子収容室に挿入することを確実に抑制できる。
【０１４２】
請求項２に記載の本発明によれば、挿入誘導部材が治具本体に着脱自在となっている。このため、誘導手段のパターンを変更した挿入誘導部材を複数用意して、これらの挿入誘導部材から任意の誘導挿入部材を選択して、治具本体に取り付けることができる。そして、治具本体に取り付けた挿入誘導部材を用いて、端子収容室に端子金具を挿入できる。したがって、誤った端子金具を端子収容室に挿入することを抑制できることにくわえ、複数のコネクタハウジングの端子収容室に端子金具を挿入する際にも対応できる。
【０１４３】
請求項３に記載の本発明によれば、複数の挿入誘導部材は他の縁部を中心として回転自在に設けられている。このため、挿入誘導部材を第１の位置と第２の位置とに亘って確実に移動自在にできる。したがって、第１の位置で、端子金具を挿入する端子収容室を確実に開放でき、端子金具を収容しない端子収容室を確実に塞ぐことができ、誤った端子金具を端子収容室に挿入することを確実に抑制できる。
【０１４４】
請求項４に記載の本発明によれば、複数の挿入誘導部材は一方向に沿ってスライド自在に設けられている。このため、挿入誘導部材を第１の位置と第２の位置とに亘って確実に移動自在にできる。したがって、第１の位置で、端子金具を挿入する端子収容室を確実に開放でき、端子金具を収容しない端子収容室を確実に塞ぐことができ、誤った端子金具を端子収容室に挿入することを確実に抑制できる。
【０１４５】
請求項５及び請求項６に記載の本発明によれば、複数の挿入誘導部材は一体に形成されかつ一方向に沿ってスライド自在に設けられている。このため、挿入誘導部材を第１の位置と第２の位置とに亘って確実に移動自在にできる。したがって、第１の位置で、端子金具を挿入する端子収容室を確実に開放でき、端子金具を収容しない端子収容室を確実に塞ぐことができ、誤った端子金具を端子収容室に挿入することを確実に抑制できる。
【０１４６】
請求項７に記載の本発明によれば、複数の挿入誘導部材は端子収容室に端子金具が侵入する方向に沿ってスライド自在に設けられている。このため、挿入誘導部材を第１の位置と第２の位置とに亘って確実に移動自在にできる。したがって、第１の位置で、端子金具を挿入する端子収容室を確実に開放でき、端子金具を収容しない端子収容室を確実に塞ぐことができ、誤った端子金具を端子収容室に挿入することを確実に抑制できる。
【０１４７】
請求項８に記載の本発明によれば、複数の挿入誘導部材は他の方向に沿ってスライド自在に設けられている。このため、挿入誘導部材を第１の位置と第２の位置とに亘って確実に移動自在にできる。したがって、第１の位置で、端子金具を挿入する端子収容室を確実に開放でき、端子金具を収容しない端子収容室を確実に塞ぐことができ、誤った端子金具を端子収容室に挿入することを確実に抑制できる。
【０１４８】
請求項９に記載の本発明によれば、挿入誘導部材の表面に、端子収容室に挿入する端子金具を示す印が形成されている。このため、端子収容室に誤った端子金具を挿入することを防止できる。
【０１４９】
請求項１０に記載の本発明によれば、位置決め手段が第１の位置で挿入誘導部材を位置決めする。このため、挿入誘導部材は、第１の位置で確実に端子金具を収容する端子収容室を開放するとともに端子金具を収容しない端子収容室を塞ぐことができる。したがって、誤った端子金具を端子収容室に挿入することをより一層確実に抑制できる。
【０１５０】
請求項１１に記載の本発明によれば、誘導手段を形成する切欠き間の間隔は端子収容室の幅と略等しく、切欠きの幅は端子収容室を区画する壁の厚みと略等しい。このため、一つの誘導手段は、端子金具を収容すべき端子収容室をひとつのみ開放する。したがって、誘導手段が開放した端子収容室に端子金具を挿入することによって、所望の端子収容室に端子金具を確実に挿入できる。
【図面の簡単な説明】
【図１】本発明の第１の実施形態に係る端子挿入治具を示す斜視図である。
【図２】図１に示された端子挿入治具の第１ないし第３の挿入誘導部材が第２の位置に位置づけられた状態を示す斜視図である。
【図３】図１に示された端子挿入治具の上面図である。
【図４】図１に示された端子挿入治具の側面図である。
【図５】図４中のＶ−Ｖ線に沿う断面図である。
【図６】図４中のＶＩ−ＶＩ線に沿う断面図である。
【図７】図１に示された端子挿入治具でコネクタハウジングの端子収容室内に挿入される電線付きの端子金具の一例を示す斜視図である。
【図８】図１に示された端子挿入治具でコネクタハウジングの第１の端子収容室列の端子収容室内に端子金具を挿入する状態を示す側面図である。
【図９】図８に示された端子挿入治具の要部を拡大して示す平面図である。
【図１０】図９中のＣ−Ｃ線に沿う断面図である。
【図１１】図９中のＤ−Ｄ線に沿う断面図である。
【図１２】図１に示された端子挿入治具でコネクタハウジングの第２の端子収容室列の端子収容室内に端子金具を挿入する状態を示す側面図である。
【図１３】図１２に示された端子挿入治具の要部を拡大して示す平面図である。
【図１４】図１３中のＥ−Ｅ線に沿う断面図である。
【図１５】図１３中のＦ−Ｆ線に沿う断面図である。
【図１６】図１に示された端子挿入治具でコネクタハウジングの第３の端子収容室列の端子収容室内に端子金具を挿入する状態を示す側面図である。
【図１７】図１６に示された端子挿入治具の要部を拡大して示す平面図である。
【図１８】図１７中のＧ−Ｇ線に沿う断面図である。
【図１９】図１７中のＨ−Ｈ線に沿う断面図である。
【図２０】図１に示された端子挿入治具でコネクタハウジングの第１ないし第３の端子収容室列の端子収容室内に端子金具を挿入し終わった状態を示す側面図である。
【図２１】図２０に示された端子挿入治具のコネクタ保持台からコネクタハウジングを取り外した状態を示す側面図である。
【図２２】図１に示された端子挿入治具の着脱機構の要部を断面にして示す側面図である。
【図２３】図２２に示された端子挿入治具の着脱機構のレバーを回転した状態を示す側面図である。
【図２４】図２３に示された端子挿入治具の治具本体から誘導部を取り外す状態を示す側面図である。
【図２５】図１に示された端子挿入治具の第１ないし第３の挿入誘導部材が形成される母材の一部を拡大して示す平面図である。
【図２６】この発明の第２の実施形態に係る端子挿入治具を示す上面図である。
【図２７】図２６に示された端子挿入治具の側面図である。
【図２８】図２６中のＩ−Ｉ線に沿う断面図である。
【図２９】図２８中のＪ部を拡大して示す断面図である。
【図３０】図２６に示された端子挿入治具の挿入誘導部材の変形例を示す平面図である。
【図３１】この発明の第３の実施形態に係る端子挿入治具を示す上面図である。
【図３２】図３１に示された端子挿入治具の側面図である。
【図３３】図３１中のＫ−Ｋ線に沿う断面図である。
【図３４】この発明の第４の実施形態に係る端子挿入治具の側面図である。
【図３５】図３４に示された端子挿入治具の要部の側断面図である。
【図３６】図３５に示された端子挿入治具の挿入誘導部材が第２の位置に位置づけられた状態を示す側断面図である。
【図３７】図３６中のＬ部を拡大して示す断面図である。
【符号の説明】
１  端子挿入治具
２  端子金具
３  コネクタハウジング
４  端子収容室
１２  壁
１３  端子収容室列
１３ａ  第１の端子収容室列
１３ｂ  第２の端子収容室列
１３ｃ  第３の端子収容室列
２０  治具本体
４４  第１の挿入誘導部材（挿入誘導部材）
４４ａ  一つの縁部
４４ｂ  他の縁部
４５  第２の挿入誘導部材（挿入誘導部材）
４５ａ  一つの縁部
４５ｂ  他の縁部
４６  第３の挿入誘導部材（挿入誘導部材）
４６ａ  一つの縁部
４６ｂ  他の縁部
４７  位置決め片（位置決め手段）
５２  誘導切欠き（誘導手段）
５３  印
５６  誘導切欠き（誘導手段）
５７  印
６０  誘導切欠き（誘導手段）
６１  印
６３  母材
６４  切欠き
Ｍ  一方向
Ｎ  他の方向
Ｐ  端子収容室に端子金具を挿入する方向
Ｗ  切欠きの幅
Ｔ  壁の厚み
Ｄ  切欠き間の間隔
Ｗ１  端子収容室の幅
【図１】
0003878511.tif 000002
【図２】
0003878511.tif 000003
【図３】
0003878511.tif 000004
【図４】
0003878511.tif 000005
【図５】
0003878511.tif 000006
【図６】
0003878511.tif 000007
【図７】
0003878511.tif 000008
【図８】
0003878511.tif 000009
【図９】
0003878511.tif 000010
【図１０】
0003878511.tif 000011
【図１１】
0003878511.tif 000012
【図１２】
0003878511.tif 000013
【図１３】
0003878511.tif 000014
【図１４】
0003878511.tif 000015
【図１５】
0003878511.tif 000016
【図１６】
0003878511.tif 000017
【図１７】
0003878511.tif 000018
【図１８】
0003878511.tif 000019
【図１９】
0003878511.tif 000020
【図２０】
0003878511.tif 000021
【図２１】
0003878511.tif 000022
【図２２】
0003878511.tif 000023
【図２３】
0003878511.tif 000024
【図２４】
0003878511.tif 000025
【図２５】
0003878511.tif 000026
【図２６】
0003878511.tif 000027
【図２７】
0003878511.tif 000028
【図２８】
0003878511.tif 000029
【図２９】
0003878511.tif 000030
【図３０】
0003878511.tif 000031
【図３１】
0003878511.tif 000032
【図３２】
0003878511.tif 000033
【図３３】
0003878511.tif 000034
【図３４】
0003878511.tif 000035
【図３５】
0003878511.tif 000036
【図３６】
0003878511.tif 000037
【図３７】
0003878511.tif 000038